(57)【要約】【課題】吸い込まれたオイルを流す流路に設けられたフィルタが氷によって目詰まりすることを防止できるオイルストレーナを提供する。【解決手段】内燃機関のオイルポンプ２に接続されたオイルストレーナ１には、オイルパン３内からオイルストレーナ１に吸い込まれたオイルを流す流路４が形成される。この流路４に設けられたフィルタ７の上流の部分には、その部分を湾曲させることによって曲げ部５が形成される。オイルストレーナ１には、オイル中の異物が下流に流れないよう捕捉する捕集網６が、曲げ部５における曲げ外側の部分と曲げ内側の部分とを隔てるように設けられる。上記オイルに氷が含まれる場合、曲げ部５を通るオイル中の氷が遠心力によって曲げ外側の部分に集まる一方で、曲げ内側の部分では氷を含まないオイルが下流に向かって流れる。曲げ外側の部分に集まった氷は、捕集網６に溜まって下流に流れないようにされる。【選択図】図１
2015161230.tif 000002
【特許請求の範囲】
【請求項１】
吸い込まれたオイルを流す流路に設けられたフィルタと、
前記流路における前記フィルタの上流部分を湾曲させて形成した曲げ部と、
前記曲げ部における曲げ外側の部分と曲げ内側の部分とを隔てるように設けられてオイル中の異物が下流に流れないよう同異物を捕捉する分離網と、
を備えるオイルストレーナ。
【発明の詳細な説明】
【技術分野】
【０００１】
本発明は、オイルストレーナに関する。
【背景技術】
【０００２】
特許文献１に示され内燃機関では、オイルポンプが駆動されることにより、同ポンプに接続されたオイルストレーナを介してオイルパン内のオイルがオイルポンプに吸い込まれる。オイルストレーナには、吸い込まれたオイルを流す流路が形成されている。また、オイルストレーナの流路には、その流路を流れるオイルから異物を取り除くためのフィルタが設けられている。
【先行技術文献】
【特許文献】
【０００３】
【特許文献１】特開２０１２−１６３０７５公報
【発明の概要】
【発明が解決しようとする課題】
【０００４】
ところで、寒冷地等での内燃機関の停止中に同機関のオイルに含まれる凝縮水が氷となる場合、内燃機関の運転開始後にオイルに含まれる氷がフィルタに溜まり、それによってフィルタが目詰まりしてオイルが流れにくくなるおそれがある。
【０００５】
本発明の目的は、吸い込まれたオイルを流す流路に設けられたフィルタが氷によって目詰まりすることを防止できるオイルストレーナを提供することにある。
【課題を解決するための手段】
【０００６】
以下、上記課題を解決するための手段及びその作用効果について記載する。
上記課題を解決するオイルストレーナには、吸い込まれたオイルを流す流路にフィルタが設けられる。また、上記流路におけるフィルタの上流部分には、その部分を湾曲させることにより曲げ部が形成される。更に、上記オイルストレーナにおける流路の曲げ部には、オイル中の異物が下流に流れないよう同異物を捕捉する分離網が、上記曲げ部における曲げ外側の部分と曲げ内側の部分とを隔てるように設けられる。上記流路を流れるオイルに氷が含まれる場合には、そのオイルが流路の曲げ部を通過する際、オイル中の氷が遠心力によって曲げ部における曲げ外側の部分に集まる一方で、曲げ部における曲げ内側の部分では氷を含まないオイルが下流に向かって流れる。曲げ部における曲げ外側の部分に集まった氷は分離網に溜まって下流に流れないようにされるため、上記氷がオイルと共に曲げ部下流のフィルタに流れることは抑制される。従って、フィルタがオイル中の氷によって目詰まりすることを防止できる。
【図面の簡単な説明】
【０００７】
【図１】オイルストレーナを示す略図。
【図２】オイルストレーナの捕集網を示す拡大断面図。
【図３】オイルストレーナの流路での氷の堆積状態を示す略図。
【図４】氷が溜まった状態の捕集網を示す拡大断面図。
【図５】捕集網を設けなかった場合におけるオイルストレーナの流路での氷の堆積状態を示す略図。
【図６】オイルストレーナにおける捕集網及び吸い込み口の他の例を示す略図。
【図７】オイルストレーナにおける捕集網の他の例を示す略図。
【発明を実施するための形態】
【０００８】
以下、オイルストレーナの一実施形態について、図１〜図５を参照して説明する。
図１に示すように、オイルストレーナ１は、内燃機関のオイルポンプ２に接続されている。オイルストレーナ１の上流側の端部には、上流端（図中の下端）に向かうほど拡径する吸い込み口１ａが形成されている。この吸い込み口１ａは、内燃機関のオイルパン３内に位置しており、且つ、オイルストレーナ１内に形成された流路４と連通している。
【０００９】
そして、オイルポンプ２が駆動されると、オイルパン３内のオイルが吸い込み口１ａからオイルストレーナ１内の流路４に吸い込まれ、その後に同流路４を通って下流側（オイルポンプ２側）に流れる。オイルポンプ２は、オイルストレーナ１から吸い込んだオイルを内燃機関の各所に向けて吐出する。オイルポンプ２から吐出されたオイルは、内燃機関の各所に送られて潤滑等を行った後にオイルパン３内に戻る。
【００１０】
また、オイルストレーナ１は、流路４を湾曲させることにより形成された曲げ部５と、上記流路４における曲げ部５の下流に設けられたフィルタ７と、を備えている。このフィルタ７は、流路４を流れるオイルから異物を取り除くためのものである。また、オイルストレーナ１には、曲げ部５における曲げ外側の部分と曲げ内側の部分とを隔てる分離網として捕集網６が設けられている。捕集網６は、流路４の下流に向かうほど、曲げ部５における曲げ外側の部分の内壁に近づいてゆき、流路４におけるフィルタ７の近傍で上記内壁に繋がっている。この捕集網６は、オイル中の異物が下流側に流れないよう同異物を捕捉する。
【００１１】
図２は、捕集網６の拡大断面図である。この図から分かるように、捕集網６によって隔てられた図１の曲げ部５における曲げ外側（図２の右側）の部分と曲げ内側（図２の左側）の部分とは、捕集網６に形成された多数の孔８によって連通している。孔８における曲げ部５の曲げ外側（図２の右側）の部分の開口端８ａの内径Ｄａは、曲げ部５の曲げ内側（図２の左側）の部分の開口端８ｂの内径Ｄｂよりも小さくされている。このため、開口端８ａの開口面積は開口端８ｂの開口面積よりも小さくなる。なお、孔８の内周面における開口端８ａと開口端８ｂとの間の部分は、開口端８ａから開口端８ｂに向かうほど拡開するテーパ状に形成されている。
【００１２】
次に、オイルストレーナ１の作用について説明する。
図３に示すように、オイルポンプ２が駆動されると、オイルパン３内のオイルが吸い込み口１ａからオイルストレーナ１に吸い込まれる。その後、同オイルはオイルストレーナ１内の流路４を下流側に流れる。このオイルに氷Ａが含まれる場合には、同オイルが流路４の曲げ部５を通過する際、オイル中の氷Ａが遠心力によって曲げ部５における曲げ外側の部分に集まる一方で、曲げ部５における曲げ内側の部分では氷Ａを含まないオイルが下流に向かって流れる。曲げ部５の曲げ外側の部分に集まった氷Ａは捕集網６に溜まって下流に流れないようにされるため、上記氷Ａがオイルと共に曲げ部５下流のフィルタ７に流れることは抑制される。
【００１３】
図４は、捕集網６に氷Ａが溜まった状態を示している。捕集網６の孔８においては、氷Ａが溜まる方の開口端８ａの内径Ｄａに対し、その開口端８ａと逆側の開口端８ｂの内径Ｄｂが大きくされている。このため、開口端８ｂの開口面積が開口端８ａの開口面積よりも大きくなり、捕集網６における孔８の開口端８ａ側から開口端８ｂ側にオイルが流れやすくなる。また、孔８の内周面は、開口端８ａ側から開口端８ｂ側に向かって拡開するテーパ状態に形成されているため、開口端８ａ側から開口端８ｂ側にオイルが円滑に流れるようにもなる。これらのことによって、捕集網６によりオイル中の氷Ａを捕捉しつつ、同捕集網６における氷Ａが溜まる部分から孔８を介してオイルを下流側に流すことができる。
【００１４】
図５は、仮に捕集網６を設けなかった場合におけるオイルストレーナ１の流路４での氷Ａの堆積状態を示している。この場合、オイルストレーナ１の流路４に設けられたフィルタ７全体に氷Ａが溜まり、同フィルタ７が溜まった氷Ａにより目詰まりして流路４におけるオイルの流れが妨げられる。しかし、流路４におけるフィルタ７の上流の曲げ部５に上述した捕集網６を設けることにより、その捕集網６でオイル中の氷Ａを捕捉して下流に流れないようにすることができる。このため、フィルタ７に氷Ａが溜まることはない。
【００１５】
以上詳述した本実施形態によれば、以下に示す効果が得られるようになる。
（１）寒冷地等での内燃機関の停止中に同機関のオイルに含まれる凝縮水が氷となる場合には、内燃機関の運転開始後にオイルパン３内のオイルが氷と共にオイルストレーナ１に吸い込まれる。しかし、オイルストレーナ１の流路４に設けられたフィルタ７の上流の曲げ部５には捕集網６が設けられており、その捕集網６でオイル中の氷を捕捉して下流に流れないようにすることができるため、フィルタ７に氷が溜まって目詰まりすることを防止できる。
【００１６】
（２）捕集網６の孔８における開口端８ｂの開口面積が開口端８ａの開口面積よりも大きくなるため、その捕集網６に氷が溜まる部分から孔８を介して下流側にオイルを流れやすくすることができる。
【００１７】
（３）孔８の内周面は、開口端８ａ側から開口端８ｂ側に向かう拡開するテーパ状態に形成されているため、開口端８ａ側から開口端８ｂ側に円滑にオイルを流すことができる。
【００１８】
なお、上記実施形態は、例えば以下のように変更することもできる。
・捕集網６の孔８の内周面については、必ずしも開口端８ａから開口端８ｂに向けて拡開するテーパ状とする必要はない。
【００１９】
・捕集網６の孔８において、必ずしも開口端８ｂの内径Ｄｂを開口端８ａの内径Ｄａよりも大きくする必要はない。
・流路４のフィルタ７は、必ずしも捕集網６の下流端に接するように設ける必要はなく、その捕集網６の下流端から下流側に離れて設けるようにしてもよい。
【００２０】
・図６に示すように、オイルストレーナ１の吸い込み口１ａにおける曲げ部５の曲げ内側の部分に対応する部分（図中の左寄りの部分）に同部分を塞ぐための壁９を形成する。また、捕集網６を上流側に延ばすことにより、捕集網６の上流端（図中の下端）を壁９の近傍に位置させる。更に、捕集網６の下流端をフィルタ７の中央付近に接続する。
【００２１】
この場合、オイルと共に吸い込み口１ａからオイルストレーナ１内に吸い込まれた氷Ａは、流路４における曲げ部５の曲げ外側の部分に向けて真っ直ぐに進み、その部分を通ってフィルタ７における曲げ部５の曲げ外側の部分に対応する部分、及び、その部分に接する捕集網６の下流部分に溜められる。一方、吸い込み口１ａからオイルストレーナ１内に吸い込まれたオイル中の氷Ａは、吸い込み口１ａに形成された壁９により曲げ部５の曲げ内側の部分には入り込みにくくなる。このため、フィルタ７における曲げ部５の曲げ内側の部分に対応する部分は、氷Ａの堆積により塞がれることのない部分となり、その部分を通じて矢印Ｙで示すようにオイルを効率よく下流に流すことができる。
【００２２】
なお、吸い込み口１ａの壁９については、上記実施形態（図１等）のオイルストレーナ１に適用してもよい。また、このオイルストレーナ１について、図６に示すように捕集網６を上流側に延ばして同捕集網６の上流端を壁９の近傍に位置させたり、図６に示す捕集網６の下流端の構造を採用したりすることも可能である。
【００２３】
・図７に示すように、オイルストレーナ１における捕集網６の上流端を流路４における曲げ部５の曲げ内側の部分の内壁に当接させてもよい。
この場合、吸い込み口１ａからオイルストレーナ１に吸い込まれたオイル中の氷Ａは、流路４の曲げ部５を流れる際に遠心力により同曲げ部５の曲げ外側の部分に集まり、流路４における捕集網６よりも下流に流れることなく、曲げ部５の曲げ外側の部分における捕集網６の下流部分に溜まる。
【００２４】
捕集網６の上端を曲げ部５の曲げ内側の部分の内壁に当接させているため、その捕集網６に溜まる氷Ａの量が多くはなるもの、同捕集網６が氷Ａで閉塞されてしまうことはない。これは、捕集網６における氷Ａを溜める部分の面積が上記実施形態（図１等）のフィルタ７と比較して大きくなるため、また内燃機関の始動開始後のオイルの温度上昇に伴って捕集網６に溜まった氷Ａが融解してゆくためである。
【００２５】
上記オイルストレーナ１では、捕集網６を曲げ部５の曲げ外側の部分と曲げ内側の部分とを隔てて氷を捕集する分離網として機能させるだけでなく、フィルタの機能を兼ね備えるものとすることによって、オイルストレーナ１から図１のようなフィルタ７を省略することも可能である。
【００２６】
・図１に示すオイルストレーナ１における捕集網６の上流端を、図７に示す捕集網６の上流端のように、曲げ部５の曲げ内側の部分の内壁に当接させてもよい。この場合、捕集網６は曲げ部５の曲げ外側の部分と曲げ内側の部分とを隔てて氷を捕集する分離網として機能し、フィルタとしての機能はフィルタ７が担うことになる。
【符号の説明】
【００２７】
１…オイルストレーナ、１ａ…吸い込み口、２…オイルポンプ、３…オイルパン、４…流路、５…曲げ部、６…捕集網、７…フィルタ、８…孔、８ａ…開口端、８ｂ…開口端、９…壁。
【図１】
2015161230.tif 000003
【図２】
2015161230.tif 000004
【図３】
2015161230.tif 000005
【図４】
2015161230.tif 000006
【図５】
2015161230.tif 000007
【図６】
2015161230.tif 000008
【図７】
2015161230.tif 000009